(57)【要約】【解決すべき課題】通線チップを蓋板に保持させ、蓋板にとどまった状態で通線状態から非通線状態への切り換え、あるいは逆の切り換えをスムーズに行えるようにすると共に、通線チップを不正に持ち去られるトラブルを防ぐことができるフロアコンセントを提供する。【課題を解決するための手段】通線チップ７は一端に通線孔８を設けると共に、他端に閉塞部９を設け、且つ左右両端にそれぞれピン軸１１を突設してある。当該通線チップ７を取付ける蓋板５の開口部６の裏面周囲に凹状の長溝１２を形成する。当該凹状の長溝１２内に通線チップ７のピン軸１１を封入して、通線チップ７を蓋板５に保持させるようになし、且つ凹状の長溝１２内においてピン軸を中心として通線チップを反転させ、通線時及び非通線時に対応させるようにした。【選択図】図２
2006296152.tif 000002
【特許請求の範囲】
【請求項１】
電源用乃至信号用の各種コンセント類を内部に配設してなるフロアコンセント本体と、このフロアコンセント本体の上部開口に開閉自在に取付けられる蓋板と、この蓋板の自由端側に設けた開口部に関連して取付けられる通線チップを具備してなるフロアコンセントにおいて、通線チップは一端に前記蓋板の開口部に連通し得る通線孔を設けると共に、他端に前記蓋板の開口部を閉塞し得る閉塞部を設けて通線時及び非通線時に対応させるようになっており、且つ当該通線チップは蓋板の前記開口部にとどまった状態で通線状態と非通線状態に反転し得るようになっていることを特徴とするフロアコンセント。
【請求項２】
電源用乃至信号用の各種コンセント類を内部に配設してなるフロアコンセント本体と、このフロアコンセント本体の上部開口に開閉自在に取付けられる蓋板と、この蓋板の自由端側に設けた開口部に関連して取付けられる通線チップを具備してなるフロアコンセントにおいて、通線チップは一端に前記蓋板の開口部に連通し得る通線孔を設けると共に、他端に前記蓋板の開口部を閉塞し得る閉塞部を設け、且つ左右両端にそれぞれピン軸を突設してあり、一方、当該通線チップを取付ける蓋板の開口部の裏面周囲に前記通線チップに突設したピン軸が移動乃至回動し得る凹状の長溝を形成し、当該凹状の長溝内に通線チップのピン軸を封入して、通線チップを蓋板に保持させるようになし、且つ凹状の長溝内においてピン軸を中心として通線チップを反転させ、通線時及び非通線時に対応させるようにしたことを特徴とするフロアコンセント。
【請求項３】
通線チップの一端に設けられる通線孔に関連してケーブル類を保護するためのフードが設けられている請求項１または２記載のフロアコンセント。
【発明の詳細な説明】
【技術分野】
【０００１】
本発明はオフィス等のフロアに埋め込んだ状態で設置される電源用乃至信号用の各種コンセント類を具備したフロアコンセントに関する。
【背景技術】
【０００２】
オフィス内の各種情報機器類に電源を供給したり、あるいは信号線を接続するため、電源用乃至信号用のコンセント類を具備したフロアコンセントをオフィスの床に配設することが行われている。このフロアコンセントにおいては、次に示す特許文献１に記載されているように、開閉蓋の一端に開口部を設けてケーブル類の引出口にすると共に、不使用時には、開口部を閉じて床面と同一のフラットになるような工夫がなされている。
【特許文献１】実開平６−８０３２３公報
【発明の開示】
【発明が解決しようとする課題】
【０００３】
すなわち、特許文献１に示されるものは、内部を中空とした額縁状をなすフロアプレート本体と、このフロアプレート本体の当該中空部の一側縁に開閉自在に蝶着する蓋本体と、この蓋本体の蝶着部の反対側の側縁を切り欠いて形成したケーブル類の引出口に着脱自在に嵌着する通線ガイド部材とを有するフロアプレートにおいて、蓋本体に形成したケーブル類の引出口の両側に案内となる突片を突設すると共に、通線ガイド部材の左右両側に当該突片が入り込み得る形成角度を異にした二つの凹溝を凹設し、ケーブル類の不使用時には通線ガイド部材の上側となる凹溝内に突片を嵌め込んで通線ガイド部材の天板が蓋本体の上面と同一面を形成するようになし、ケーブル類を引き出して使用するときには通線ガイド部材の下側の凹溝内に突片を嵌め込んで通線ガイド部材を蓋本体の上面に突出させ、通線孔を通してケーブル類を外部に引き出すように構成したものである。
【０００４】
しかしながら、前記した従来の通線ガイド部材によった場合は、たとえばケーブル類の使用時から不使用時に変更する場合、一旦、蓋本体のケーブル類の引出口から通線ガイド部材を外して、当該通線ガイド部材の上側となる凹溝内に突片を嵌め込み直して通線ガイド部材の天板が蓋本体の上面と同一面を形成するようにしなければならず、操作が面倒であるという問題点があった。また、場合によっては通線ガイド部材を引出口から外して持ち去られるようなこともあり、このようなトラブルの生ずる余地のないフロアコンセントが要望されていた。
【０００５】
そこで、本発明は一端に蓋板の開口部に連通し得る通線孔を設けると共に、他端に蓋板の開口部を閉塞し得る閉塞部を設けて通線時及び非通線時に対応できるようになした通線チップを蓋板から分離不可能なように保持させ、蓋板にとどまった状態で通線チップを反転できるようにして通線状態から非通線状態への切り換え、あるいは逆の変更をスムーズに行えるようになしたフロアコンセントを提供することを目的とするものである。
【課題を解決するための手段】
【０００６】
上記目的を達成するための本発明の構成を詳述すれば、請求項１に係る発明は、電源用乃至信号用の各種コンセント類を内部に配設してなるフロアコンセント本体と、このフロアコンセント本体の上部開口に開閉自在に取付けられる蓋板と、この蓋板の自由端側に設けた開口部に関連して取付けられる通線チップを具備してなるフロアコンセントにおいて、通線チップは一端に前記蓋板の開口部に連通し得る通線孔を設けると共に、他端に前記蓋板の開口部を閉塞し得る閉塞部を設けて通線時及び非通線時に対応させるようになっており、且つ当該通線チップは蓋板の前記開口部にとどまった状態で通線状態と非通線状態に反転し得るようになっていることを特徴とするフロアコンセントである。
【０００７】
請求項２に係る発明は、電源用乃至信号用の各種コンセント類を内部に配設してなるフロアコンセント本体と、このフロアコンセント本体の上部開口に開閉自在に取付けられる蓋板と、この蓋板の自由端側に設けた開口部に関連して取付けられる通線チップを具備してなるフロアコンセントにおいて、通線チップは一端に前記蓋板の開口部に連通し得る通線孔を設けると共に、他端に前記蓋板の開口部を閉塞し得る閉塞部を設け、且つ左右両端にそれぞれピン軸を突設してあり、一方、当該通線チップを取付ける蓋板の開口部の裏面周囲に前記通線チップに突設したピン軸が移動乃至回動し得る凹状の長溝を形成し、当該凹状の長溝内に通線チップのピン軸を封入して、通線チップを蓋板に保持させるようになし、且つ凹状の長溝内においてピン軸を中心として通線チップを反転させ、通線時及び非通線時に対応させるようにしたことを特徴とするフロアコンセントである。
【０００８】
また、請求項３に係る発明は、通線チップの一端に設けられる通線孔に関連してケーブル類を保護するためのフードが設けられている請求項１または２記載のフロアコンセントである。
【発明の効果】
【０００９】
上記したように、本発明によれば、通線時及び非通線時に対応し得る通線チップは蓋板の開口部にとどまった状態で反転させることができるので、切り換え操作が非常に簡単になると共に、不正に持ち去られるようなトラブルも未然に防ぐことができる。また、本発明フロアコンセントによった場合は、通線チップ自体を従来より薄型に形成することができ、施工後のフロアコンセント廻りの環境を一層改善することができる。
【発明を実施するための最良の形態】
【００１０】
以下、本発明に係るフロアコンセントの具体的構成を図示の実施形態に基づき詳細に説明する。
【００１１】
図１は蓋板を開けてコンセントにケーブルを接続したときの本発明フロアコンセントの一実施形態を示す斜視図、図２は蓋板の裏側の分解斜視図、図３（ａ）〜（ｄ）は図１に示す通線時から非通線時に切り換えるときの説明図、図４は非通線時における蓋板を閉じた状態の斜視図、図５は通線チップの通線孔に関連してケーブルを保護するフードを設けた実施形態を示す斜視図である。
【００１２】
図中１は電源用あるいは信号用の各種コンセント類２を内部に配設してなるフロアコンセント本体であり、当該フロアコンセント本体１は額縁状に形成されたフランジ部３の裏面を床構成材４に当接係止させてフロアに埋め込んだ状態で設置されるものである。
【００１３】
なお、図１において床構成材４の上面とフロアコンセント本体１のフランジ部３との間に段差が生じているが、実際の施工に当たっては床構成材４の上面にタイルカーペットのようなフロア材が敷設され、フランジ部３の上面とフロア材の上面とが同一面を形成するようになる。
【００１４】
図中５はフロアコンセント本体１の額縁状をなすフランジ部３の中央開口部に開閉自在に取付けられる蓋板であり、当該蓋板５の自由端側、すなわち、反枢軸側には適宜大きさの開口部６を開設してある。
【００１５】
７は当該開口部６に関連して取付けられる通線チップであり、当該通線チップ７は一端に前記蓋板５の開口部６に連通し得る通線孔８を設けると共に、他端には前記蓋板５の開口部６を閉塞し得る閉塞部９を設けてある。図示の実施形態においては通線孔８が三箇所形成されるようになっているが、これはフロアコンセント本体内部のコンセント類２の配設個数に応じて適宜変更することができるのは云うまでもない。
【００１６】
また、場合によっては、図示するような仕切りを除去して通常の開口部を以って通線孔８とするようにしてもよいのは勿論である。なお、特に図示しないが、各通線孔８にはケーブル類１０の引出しに障害とならない程度の薄さの防塵用のゴムカバーが取付けられる。
【００１７】
本発明は、このようなフロアコンセントにおいて、通線チップ７を蓋板５に保持させ、蓋板５の開口部６にとどまった状態、すなわち、開口部６から取り外すことなく、セットしたまゝの状態において通線時と、非通線時とに反転させることができるようにしたことを特徴とするものである。
【００１８】
したがって、フロアコンセント本体１内部のコンセント類２に接続したケーブル類１０を床上に引き出す際には、通線チップ７の一端に設けてある通線孔８を蓋板５の開口部６に臨ませて通線時に対応させるようにすると共に、コンセントの不使用時には通線チップ７の閉塞部９側を蓋板５の開口部６にセットして、図４に示すようにフランジ部３と同一面を形成するようにする。
【００１９】
本発明によった場合は、このような通線時及び非通線時相互間の切り換えを蓋板５に通線チップ７を保持させた状態で行うことができるので、これまでより操作性が向上すると共に、通線チップ７を外して持ち去られるトラブルを防ぐことができる。
【００２０】
図示する実施形態の通線チップの反転機構は、通線チップ７の左右両端にそれぞれピン軸１１，１１を突設すると共に、通線チップ７を取付ける蓋板５の開口部６の裏面周囲に当該ピン軸１１，１１が支障なく移動乃至回動し得る凹状の長溝１２，１２を形成し、当該凹状の長溝１２，１２内にピン軸１１，１１を封入するようにしたものである。
【００２１】
凹状の長溝１２は、蓋板５の開口部６の裏面周囲に厚肉部１３を形成し、当該厚肉部１３の開口部６側を切り欠いて凹溝を形成し、この凹溝内に前記通線チップ７のピン軸１１を位置させ、その上から封止板１４を螺子１５によって取付けて厚肉部１３の凹溝部分を封止することにより構成されるようになっている。
【００２２】
凹状の長溝１２，１２内において、通線チップ７のピン軸１１，１１は自由に移動乃至回動が可能であり、次に示す手順によって蓋板５に保持されたままの状態において通線時の状態から非通線時の状態に切り換えることができる。
【００２３】
すなわち、蓋板５に設けられたロック解除キー１６をスライドさせることによって、フランジ部３から蓋板５が少し浮き上がり、枢軸部を中心にして蓋板５の自由端側を引き上げる。そして、図１に示すように内部のコンセント２にプラグを接続し、ケーブル１０を通線チップ７の通線孔８を介して床上を引き出す。
【００２４】
このような通線状態から非通線状態に移行するには、図３（ａ）〜（ｄ）に示すように、通線チップ７のピン軸１１，１１を凹状の長溝１２，１２内を上に移動させ、通線チップ７の下端部、すなわち閉塞部９の下端縁が蓋板５の開口部６より上に出てフリーとなった位置において、閉塞部９を蓋板５の外方へ回動させる。このように通線チップ７をピン軸１１，１１を中心にして１８０度回転させて閉塞部９が蓋板５の表側に、通線孔８側が蓋板５の裏側にくるようにする。
【００２５】
この状態において、通線チップ７の閉塞部９の一端縁は蓋板５の開口部６に当接すると共に、通線孔８側の仕切脚の先端が封止板１４の端縁に当接し、且つ仕切脚が厚肉部１３に当接して安定した状態が保持される。なお、非通線状態から通線状態に切り換えるときは前記と逆の操作を行えばよい。
【００２６】
その他、図中の１７は通線チップ７の一端に設けられる通線孔８に関連して突設したフードであり、通線時にフロアコンセント本体１内から引き出されるケーブル１０を保護するためのものである。なお、このようなフード１７を設けても、通線チップ７の反転操作に支障を生ずるようなことはない。
【００２７】
また、１８はロック解除キー１６をスライドさせて蓋板５のロック状態を解除したとき、蓋板５がフランジ部３より弾発的に少し浮き上がるようにするための板バネであり、１９はフロアコンセント本体１を床構成材４に固定するための係止部材である。
【００２８】
本発明フロアコンセントによれば、通線時及び非通線時に対応し得る通線チップを蓋板の開口部に保持させた状態で反転させることができるので、切り換え操作が非常に簡単になると共に、不正に持ち去られるようなトラブルも未然に防止することができるものである。
【図面の簡単な説明】
【００２９】
【図１】蓋板を開けてコンセントにケーブルを接続したときの本発明フロアコンセントの一実施形態を示す斜視図である。
【図２】蓋板の裏側の分解斜視図である。
【図３】図１に示す通線時から非通線時に切り換えるときの説明図である。
【図４】非通線時における蓋板を閉じた状態の斜視図である。
【図５】通線チップの通線孔に関連してケーブルを保護するフードを設けた実施形態を示す斜視図である。
【符号の説明】
【００３０】
１：フロアコンセント本体
２：コンセント類
３：フランジ部
４：床構成材
５：蓋板
６：開口部
７：通線チップ
８：通線孔
９：閉塞部
１０：ケーブル
１１：ピン軸
１２：凹状の長溝
１３：厚肉部
１４：封止板
１５：螺子
１６：ロック解除キー
１７：フード
１８：板バネ
１９：係止部材
【図１】
2006296152.tif 000003
【図２】
2006296152.tif 000004
【図３】
2006296152.tif 000005
【図４】
2006296152.tif 000006
【図５】
2006296152.tif 000007